(57)【特許請求の範囲】
【請求項１】
室内に設置される親機と前記親機と離れた箇所に設置される子機から成るインターホンシステムにおいて、
前記親機は、室内の音声を音声信号として入力する室内音声入力手段と、
前記室内音声入力手段が入力した音声信号と予め定められた特定の音声信号とを照合検知する特定音声検知手段と、
前記特定音声検知手段の感度を指定する特定音声検知感度調整手段と、
所定のドアの開または鍵の解除に係る情報を監視する鍵開閉監視手段と、
を有し、
前記鍵開閉監視手段が前記のドアの開または鍵の解除に係る情報を検知した場合に、前記特定音声検知感度調整手段の感度を一定時間高感度化し、前記特定音声検知手段が特定の音声信号を検知した場合に、予め登録されている緊急メッセージ情報または前記室内音声入力手段が入力した音声信号に係る情報を所定の通知先に送信し、または予め登録されている出力用データを前記子機に送信し、外部にいても室内の異常事態を知ることができることを特徴とする特定音声検知機能を有するインターホンシステム。
【発明の詳細な説明】
【技術分野】
【０００１】
本発明は、インターホンシステムに係り、特に不審者が室内に侵入時、住人の悲鳴によって緊急状態を近隣者に通知することができるインターホンシステムに関する。
【背景技術】
【０００２】
特許文献１には、室内で異常事態が発生したとき室内親機のスイッチを操作して室内での異常事態を非常用ＬＥＤで戸外に報知するドアホン装置を開示している。
【特許文献１】特開平１１−２３９２２２号公報
【発明の開示】
【発明が解決しようとする課題】
【０００３】
特許文献１によれば、室内から戸外へ室内の異常事態を報知する技術が開示されているが、報知するためには、室内親機のスイッチを操作する必要があり、スイッチの操作ができない場合には、室内の異常事態を戸外へ緊急メッセージとして通報できないという問題がある。
【課題を解決するための手段】
【０００４】
本発明は、上記した問題に鑑みなされたもので室内に設置される親機と前記親機と離れた箇所に設置される子機から成るインターホンシステムにおいて、前記親機は、室内の音声を音声信号として入力する室内音声入力手段と、前記室内音声入力手段が入力した音声信号と予め定められた特定の音声信号とを照合検知する特定音声検知手段と、前記特定音声検知手段の感度を指定する特定音声検知感度調整手段と、所定のドアの開または鍵の解除に係る情報を監視する鍵開閉監視手段と、を有し、前記鍵開閉監視手段が前記のドアの開または鍵の解除に係る情報を検知した場合に、前記特定音声検知感度調整手段の感度を一定時間高感度化し、前記特定音声検知手段が特定の音声信号を検知した場合に、予め登録されている緊急メッセージ情報または前記室内音声入力手段が入力した音声信号に係る情報を所定の通知先に送信し、または予め登録されている出力用データを前記子機に送信し、外部にいても室内の異常事態を知ることができることを特徴とする特定音声検知機能を有するインターホンシステムを提供する。
【発明の効果】
【０００５】
本発明によれば、室内に設置される親機のスイッチを操作することなく、特定音声検知手段を用いて、室内の異常事態を戸外へ報知するインターホンシステムを提供することができる。
【発明を実施するための最良の形態】
【０００６】
以下図面を用いて、発明を実施するための最良の形態について説明する。
図１は、本発明の室内親機００１及び室外子機００２の機能ブロックを示す。
室内親機００１は、室内親機００１及び室外子機００２を全体的に制御するインターホン制御部０１、緊急時であるとの判断をし、関連部へ指示を出す緊急対応部０２、インターホン制御部０１の指示により特定音声検知部０４の検知感度を調整する特定音声検知感度調整部０３、予め登録された特定音声を検知する特定音声検知部０４、特定音声を予め登録して置く特定音声パターン登録部０５、室内音声を取り込む音声入力部であるマイク０６、音声を出力するスピーカ０７、緊急時に通知先１１へ緊急メッセージを通知する通知部０８、非常用の非常ボタン０９、ドア１２の鍵の施錠、開錠を監視・制御する鍵開閉部１０、及び緊急時に出力する緊急メッセージを予め登録しておく緊急メッセージ登録部１３を構成要素として有し、
室外子機００２は、子機全体を制御する制御部１４、インターホンのマイク２０及び呼出ボタン２１を収容するインターホン通話部１５、モニタ１８に文字表示をする文字表示部１６、スピーカ１９に音声を拡声出力する拡声通知部１７を構成要素として有する。
【０００７】
室内親機００１は玄関等のドア１２の錠が施錠から開錠に状態変化するのを鍵開閉部１０で常時監視している。住人が外出先から帰宅した時、ドア１２の錠を施錠から開錠に変化させると、これを鍵開閉部１０が検知し、インターホン制御部０１に信号『開錠』を送信する。
【０００８】
インターホン制御部０１は、信号『開錠』を受信すると、特定音声検知感度調整部０３へ信号『感度上昇』を送信し、特定音声検知感度調整部０３は、‘感度高’を記憶保持する。この‘感度高’の状態は、インターホン制御部０１から信号『タイムアウト』を受信するまで継続し、それ以降は‘感度標準’の状態が記憶保持される。この継続時間は、インターホン制御部０１のタイマでパラメータ設定可能である。
【０００９】
特定音声検知部０４は音声入力部マイク０６から送られてくる室内で発生した音声を常時監視しているが、特定音声検知感度調整部０３の状態が‘感度高’に設定されている間は、室内音声を監視する検知レベルを通常より低くして監視する。これによって、ドア開錠直後の一定時間、特定音声検知部０４は感度が敏感になり、通常より低いレベルの音声を検知可能である。逆に一定時間経過後は、音声の検知レベルが通常に戻され、それまでより高くなるので、感度が鈍くなり、日常会話の類似音声によっては、誤動作しないようになる。
【００１０】
特定音声パターン登録部０５には、予め住人の悲鳴、大声や日常生活であまり聞くことのない騒音、発砲音等を登録しておく。
【００１１】
外出中に不審人物が室内に侵入し、その後住人が帰宅して、ドアの鍵を開錠した直後の一定時間内は上記したように特定音声検知感度調整部０３は‘感度高’に設定されるので、それを受けて特定音声検知部０４の音声検知レベルは、通常より低めに設定される。この通常より低めの検知レベルを超えるレベルの住人の悲鳴、大声と思われる音声を特定音声検知部０４で認識すると、特定音声検知部０４は認識した音声と特定音声パターン登録部０５に登録されている音声データとの照合を行なう。照合結果、両音声が
一致した場合、特定音声検知部０４から緊急対応部０２へ信号『特定音声検知』が送信される。
【００１２】
緊急対応部０２は、信号『特定音声検知』を受信すると、異常事態の発生と判断し、インターホン制御部０１と通知部０８へ信号『異常事態発生』を送信する。
【００１３】
インターホン制御部０１は信号『異常事態発生』を受信すると、緊急メッセージ登録部１３から予め登録された緊急メッセージの２種のデータを読み出し、それに信号『異常事態発生』を併せて、緊急対応部０２及び室外子機００２の制御部１４へ送信する。
【００１４】
緊急メッセージ登録部１３には、緊急メッセージとして、例えば「室内で緊急事態が起きました。警察へ通報してください」に相当する音声データと、文字データの２種のデータが予め登録されている。この緊急メッセージは、詳細説明は省略するが、住人がマイク０６を用いて音声情報として、緊急メッセージ登録部に予め登録することができる。
【００１５】
また、インターホン制御部０１は、同時に鍵開閉部１０へも信号『異常事態発生』を送信する。鍵開閉部１０は、信号『異常事態発生』を受信すると、リモート機能でドア１２の鍵を開錠し、住人が素早く脱出できるように備える。
【００１６】
緊急対応部０２は、受信した緊急メッセージ・データと信号『異常事態発生』を通知部０８に転送する。通知部０８には、予め緊急メッセージの連絡先やセキュリティ会社等の通知先１１が携帯電話や固定電話の電話番号として登録されている。そこで通知部０８は、信号『異常事態発生』を受信すると予め登録されている通知先１１の電話番号に自動発信し、受信した緊急メッセージ・データと信号『異常事態発生』を送付する。
【００１７】
室外子機００２の制御部１４は、緊急メッセージ・データと信号『異常事態発生』を受信すると受信した緊急メッセージ・データの文字データを文字表示部１６へ転送し、文字表示部１６では文字データを解析し、表示すべき文字データをモニタ１８へ送り、モニタ１８に表示する。また、受信した緊急メッセージ・データの音声データを拡声通知部１７へ送信し、拡声通知部１７では音声データを解析して、音声再生すべき音声データをスピーカ１９へ送り、スピーカ１９から音声出力する。
【００１８】
このようにして、本発明では、室内で発生した音声を監視することによって、異常状事態発生を検知し、外部にいる人に対して、室内での異常事態発生を知らせることができる。
【００１９】
異常事態を解除するには、非常ボタンを長押しする。非常ボタンを長押しすると、緊急対応部０２は、異常事態解除を認識し、緊急対応部１２からインターホン制御部０１及び通知部０８へ信号『異常事態解除』を通知する。
【００２０】
次にインターホン制御部０１で鍵開閉部１０が開錠を検知した時にスタートさせたタイマーがタイムアウトしたときについて説明する。タイムアウトするとインターホン制御部０１から信号『タイムアウト』を特定音声検知感度調整部０３へ送信し、特定音声検知感度調整部０３では検知感度を敏感な状態に保つ時間の終了を認識し、通常の検知感度を示す‘感度標準’を記憶保持する。この‘感度標準’を参照して、特定音声検知部０４は、室内音声の検知レベルを通常のレベルに戻すので、検知感度は鈍くなり、日常の会話で誤って異常事態発生となることを防止する。
【００２１】
インターホン制御部０１は、信号『異常事態解除通知』を受信すると鍵開閉部１０から新たに送られてくる鍵の施錠、開錠情報を受信待ちする状態に入る。
【００２２】
図２は、本発明の室内親機００１の動作フローフローチャートを示す。
電源ＯＮで動作を開始し（Ｓ２００）、ドア１２が開いたかを監視する（Ｓ２０１）。ドア１２が開錠されると（Ｓ２０１：Ｙｅｓ）鍵開閉部１０から信号『開錠』が送られてくると特定音声検知感度調整部０３に信号『感度上昇』を送り、特定音声検知感度調整部０３は‘感度高’を記憶保持する（Ｓ２１０）。
また、インターホン制御部０１は、図示されていない特定音声検知タイマの起動をかける（Ｓ２１１）。
【００２３】
特定音声検知部０４でマイク０６からの室内音声と特定音声パターン登録部０５に予め登録された特定の音声とを常時照合し（Ｓ２２０のＮｏ，Ｓ２２４のＮｏ）、照合した結果、両者が一致した場合（Ｓ２２０のＹｅｓ）に、フローチャートには明記してないが、信号『特定音声検知』が緊急対応部０２に通知され、緊急対応部０２はこれを異常事態発生と判断し、信号『異常事態発生』をインターホン制御部０１及び通知部０８に送付する。
【００２４】
信号『異常事態発生』受けたインターホン制御部０１は、緊急メッセージ登録部１３より予め登録されている緊急メッセージ・データを読み出し、室外子機００２および緊急対応部０２に対して、信号『異常事態発生』と併せて送付する（Ｓ２２１）。
緊急対応部０２は、さらに通知部０８に該データおよび該信号を転送し、さらにそれらは予め登録されて通知先１１に送付される（Ｓ２２２）。
【００２５】
室外子機００２および通知先１１は、緊急メッセージ・データおよび信号『異常事態発生』を受信すると、当該緊急メッセージをモニタ等に表示する。室外子機００２における該緊急メッセージの表示の仕方については、図３において詳細に説明する。
【００２６】
異常ボタンを長押するとインターホン制御部０１は異常事態解除と認識する（Ｓ２３０）。室外子機００２に信号『異常事態解除』を送り（Ｓ２３１）、特定音声検知感度を‘感度標準’に設定（Ｓ２３２）して、初期にもどる。
【００２７】
また、図示しない特定音声検知タイマがタイムアウトすると（Ｓ２２４のＹｅｓ）、インターホン制御部０１から特定音声検知感度調整部０３に信号『タイムアウト』が送られ、該調整部０３は‘感度標準’を記憶保持するので、それを参照した特定音声検知部０４は、音声検知レベルを通常の標準レベルに戻し（Ｓ２３２）、初期状態に戻る。
【００２８】
図３は、本発明の室外子機００２の動作フローフローチャートを示す。ただし、通常のインターホンとしての動作フローチャートの図示を省略している。
【００２９】
電源ＯＮで動作を開始（Ｓ３００）し、制御部１４は、室内親機００１のインターホン制御部０１より送られてくる信号『異常事態発生』を常時監視している（Ｓ３０１のＮｏ）。信号『異常事態発生』を受信する（Ｓ３０１のＹｅｓ）と並行して送られてきた緊急メッセージ・データを文字表示部１６及び拡声通知部１７に送り、文字をモニタ１８に表示させ、音声をスピーカ１９から再生させて、異常事態発生を外部に通知する（Ｓ３０２）。
【００３０】
室内親機００１の非常ボタンが長押されるとインターホン制御部０１が異常事態解除と認識して、室外子機００２の制御部１４に信号『異常事態解除』を送ってくるので、これを受信する（Ｓ３０３のＹｅｓ）と緊急メッセージの出力を停止（Ｓ３０４）し、初期状態に戻る。
【００３１】
以上本発明について、詳細に説明したが、異常事態の発生を従来技術と同じ様に室内親機００１に装備された非常ボタン０９を押下することによって検知することも有効であることを付言する（Ｓ２０１）。
【図面の簡単な説明】
【００３２】
【図１】本発明の室内親機及び室外子機の機能ブロック図
【図２】室内親機の動作フローチャート
【図３】室外子機の動作フローチャート
【符号の説明】
【００３３】
０１      インターホン制御部
０２      緊急対応部
０３      特定音声検知感度調整部
０４      特定音声検知部
０５      特定音声パターン登録部
０６      マイク
０７      スピーカ
０８      通知部
０９      非常ボタン
１０      鍵開閉部
１１      通知先
１２      ドア
１３      緊急メッセージ登録部
１４      制御部
１５      インターホン通話部
１６      文字表示部
１７      拡声通知部
１８      モニタ
１９      スピーカ
２０      マイク
２１      呼出ボタン
００１    室内親機
００２    室外子機
【図１】
0005604688.tif 000002
【図２】
0005604688.tif 000003
【図３】
0005604688.tif 000004